(57)【要約】【課題】組み付け配置を容易に変更することができ、部品の種類を減らして生産管理コストを削減することが可能な車載用マイクロホン装置を提供することである。【解決手段】車載用マイクロホン装置１０は、集音方向が特定されたマイクユニット１１と、車両コネクタ挿入部１３を含みマイクユニット１１が組み付けられる保持ケース１２と、回転台座１５と、から構成され、マイクユニット１１は、保持ケース１２に対するマイクユニット１１の組み付け配置を変更できるように、回転台座１５を介して保持ケース１２に対して回転可能に支持される。車載用マイクロホン装置１０には、第１の回転軸で相対回転可能に係合する保持ケース側係合部１６及び回転台座側第１係合部１７、第１の回転軸と直交する第２の回転軸で相対回転可能に係合する回転台座側第２係合部１８及びマイクユニット側係合部１９が設けられる。【選択図】図５
2010089749.tif 000002
【特許請求の範囲】
【請求項１】
音声を収集して電気信号に変換するマイクエレメントを含み、集音方向が特定されたマイクユニットと、
マイクエレメントと電気的に接続されるコネクタ端子部及び車両側のコネクタが挿入される車両コネクタ挿入部を含み、マイクユニットが組み付けられる保持ケースと、
から構成される車載用マイクロホン装置であって、
マイクユニットは、保持ケースに対して回転可能に支持されることを特徴とする車載用マイクロホン装置。
【請求項２】
請求項１に記載の車載用マイクロホン装置において、
保持ケースに対するマイクユニットの組み付け配置として、車両コネクタ挿入部の開口方向及びマイクユニットの集音方向が同一側となる第１の組み付け配置と、前記開口方向及び前記集音方向が反対側となる第２の組み付け配置と、を有し、
マイクユニットは、組み付け配置を変更できるように、保持ケースに対して回転可能に支持されることを特徴とする車載用マイクロホン装置。
【請求項３】
請求項２に記載の車載用マイクロホン装置において、
保持ケースには、マイクユニットを支持する回転台座が設置され、
保持ケース及び回転台座には、第１の軸を回転軸として、相対的に回転可能に係合する保持ケース側係合部及び回転台座側第１係合部がそれぞれ設けられると共に、
回転台座及びマイクユニットには、第１の軸と直交する第２の軸を回転軸として、相対的に回転可能に係合する回転台座側第２係合部及びマイクユニット側係合部がそれぞれ設けられることを特徴とする車載用マイクロホン装置。
【請求項４】
請求項２又は３に記載の車載用マイクロホン装置において、
保持ケースと、マイクユニット又は回転台座との相対的な回転を禁止して、前記組み付け配置を固定する固定部材が設けられることを特徴とする車載用マイクロホン装置。
【請求項５】
請求項３又は４に記載の車載用マイクロホン装置において、
保持ケース及び回転台座には、少なくとも相対回転の回転中心となる部分に、マイクエレメントとコネクタ端子部とを電気的に接続する接続ケーブルを通すための貫通孔がそれぞれ設けられることを特徴とする車載用マイクロホン装置。
【請求項６】
請求項１〜５のいずれか１に記載の車載用マイクロホン装置と、
車載用マイクロホン装置の保持ケースが係止され、車両に設置される車両設置部材と、
を含むマイクロホン装置付車両設置部材において、
車載用マイクロホン装置のマイクユニット及び車両設置部材には、前記組み付け配置が特定配置である場合に、互いに係合するガイド部がそれぞれ設けられることを特徴とするマイクロホン装置付車両設置部材。
【発明の詳細な説明】
【技術分野】
【０００１】
本発明は、車載用マイクロホン装置およびマイクロホン装置付車両設置部材に係り、特に自動車室内のコントロールモジュール等に設置され、指向性を有するマイクロホン装置に関する。
【背景技術】
【０００２】
近年、自動車等の車両において、音声認識システムやハンズフリー通話システムが設置され、これらのシステムにおける音声取得装置としてマイクロホン装置が自動車等に搭載されるケースが増加している。車載用マイクロホン装置は、車両走行中の振動騒音、エアコンの吹き出し騒音などを拾い難くするため、例えば、ルームランプやルーフ開閉スイッチ等が配置され、ドライバ席と助手席との間の天井部に設けられるオーバーヘッドモジュール内に取り付けられることが多い。なお、マイクロホン装置をオーバーヘッドモジュール内に設置すれば、エアコンの騒音などを拾い難くなるが、更なる騒音対策、マイク感度の向上、運転席側への単一指向性などがマイクロホン装置に要求されている。
【０００３】
このような状況に鑑みて、幾つかの装置が開発されている。例えば、特許文献１には、マイクユニットに、回転自在にマイクエレメントを保持し、且つマイクエレメントの集音面がパネルと所定の角度となるように保持するマイク保持具が支持され、マイク保持具には、マイクユニット外部に伸びた案内棒が接続され、パネルは、マイクユニットを受け入れる受け入れ部と、受け入れ部に設けられ、マイクユニットの案内棒をガイドするガイド部と、を有し、マイクユニットを受け入れ部に差し込む際、ガイド部により案内棒が案内され、マイクユニットの内部でマイクエレメントが予め決められた方向に位置決めされる車載用コントロールモジュールが開示されている。また、特許文献１では、集音面を指向性の最も良い方向に位置決めすることが可能となり、マイクのＳ／Ｎ比を高めることが可能であると述べられている。また、特許文献２には、パネルに設けられた受け入れ部に差し込む際に、パネルに対しマイクユニットの開口面が密着するように、マイクユニットが回動するマイクアセンブリが開示されている。
【０００４】
図１２、１３に、保持ケースに対するマイクユニットの組み付け配置がそれぞれ異なる従来の車載用マイクロホン装置を示している。図１２、１３及び上記特許文献１、２に示されるように、一般的に、車載用マイクロホン装置５０は、音声を収集して電気信号に変換するマイクエレメントを含むマイクユニット５１と、このマイクユニット５１が組み付けられ、オーバーヘッドモジュール等に設置される保持ケース５２と、から構成されている。保持ケース５２には、オーバーヘッドモジュール等に設置された際に、車両側のコネクタが挿入される車両コネクタ挿入部５３が設けられている。また、保持ケース５２には、図１４、１５に示すように、オーバーヘッドモジュール５４のパネル５５の背面側に設けられた受け入れ部５６に係止するための係止爪５７、保持ケース５２が係止される向きを特定するためのガイド爪５８が形成され、受け入れ部５６にも、係止爪５７、ガイド爪５８が係止、挿入される係止溝５９、ガイド溝６０が形成されている。ここで、図１４、１５は、図１２、１３の車載用マイクロホン装置５０がそれぞれ設置されようとする従来のオーバーヘッドモジュール５４のパネル５５の一部（背面側）を示す図である。
【０００５】
一般的に、車載用マイクロホン装置５０が設置されるオーバーヘッドモジュール５４内において、車載用マイクロホン装置５０と接続される車両側ワイヤハーネスの引き回しスペースは大幅に制限される。故に、車両コネクタ挿入部５３の開口方向は、車両側コネクタが設けられる側に設定される必要があり、各オーバーヘッドモジュール５４に応じて保持ケース５２が係止される向きは特定される。一方、マイクユニット５１に関しては、一般的に、指向方向（集音方向）はドライバ席側に向けられるので、右ハンドル車と左ハンドル車に対応できるように、少なくとも２つの集音方向を選択できる必要がある。例えば、受け入れ部５６を挟んで目的とする車両コネクタ挿入部５３の開口方向及び目的とする集音方向が逆方向である場合には、図１２に示すそれら２つの方向が同一側（第１組み付け配置とする）にある車載用マイクロホン装置５０では対応することができず、マイクユニット５１の組み付け配置を変更して、図１３に示す組み付け配置（第２組み付け配置とする）とする必要がある。
【０００６】
【特許文献１】特開２００８−６２８８５号公報
【特許文献２】特開２００５−３０６２７８号公報
【発明の開示】
【発明が解決しようとする課題】
【０００７】
しかしながら、図１２、１３に示す従来の車載用マイクロホン装置５０において、車載用マイクロホン装置を車両に設置するときに、上記組み付け配置の変更を実施しようとすれば、マイクユニット５１を一旦保持ケース５２から取り外すことを余儀なくされる。マイクユニット５１を取り外して組み付け配置を変更する作業は、極めて煩雑であるため、上記設置工程等においてこの作業を実施することは困難である。従って、車種に応じて、保持ケース５２に対するマイクユニット５１の組み付け配置を変更した車載用マイクロホン装置５０、例えば、図１２、１３に示す第１組み付け配置、第２組み付け配置をとる車載用マイクロホン装置５０が準備される。また、特許文献１及び２のマイクロホン装置によれば、マイクエレメントの角度やマイクユニット開口面の角度を微調整することはできるが、マイクユニットと保持ケースとを組み付けた状態で、マイクユニットの集音方向を大きく変更することはできない。以上のように、従来の技術によれば、車載用マイクロホン装置の種類を減らすことはできず、生産管理コストの削減を実現することはできない。
【０００８】
本発明の目的は、マイクユニットを保持ケースに組み付けた状態で組み付け配置を容易に変更することができ、部品の種類を減らして生産管理コストを削減することが可能な車載用マイクロホン装置を提供することである。また、本発明のもう１つの目的は、既存のマイクユニットをそのまま利用することである。
【課題を解決するための手段】
【０００９】
本発明に係る車載用マイクロホン装置は、音声を収集して電気信号に変換するマイクエレメントを含み、集音方向が特定されたマイクユニットと、マイクエレメントと電気的に接続されるコネクタ端子部及び車両側のコネクタが挿入される車両コネクタ挿入部を含み、マイクユニットが組み付けられる保持ケースと、から構成される車載用マイクロホン装置であって、マイクユニットは、保持ケースに対して回転可能に支持されることを特徴とする。
【００１０】
また、保持ケースに対するマイクユニットの組み付け配置として、車両コネクタ挿入部の開口方向及びマイクユニットの集音方向が同一側となる第１の組み付け配置と、前記開口方向及び前記集音方向が反対側となる第２の組み付け配置と、を有し、マイクユニットは、組み付け配置を変更できるように、保持ケースに対して回転可能に支持されることを特徴とすることが好ましい。
【００１１】
また、保持ケースには、マイクユニットを支持する回転台座が設置され、保持ケース及び回転台座には、第１の軸を回転軸として、相対的に回転可能に係合する保持ケース側係合部及び回転台座側第１係合部がそれぞれ設けられると共に、回転台座及びマイクユニットには、第１の軸と直交する第２の軸を回転軸として、相対的に回転可能に係合する回転台座側第２係合部及びマイクユニット側係合部がそれぞれ設けられることが好ましい。
【００１２】
また、保持ケースと、マイクユニット又は回転台座との相対的な回転を禁止して、保持ケースに対するマイクユニットの組み付け配置を固定する固定部材が設けられることが好ましい。
【００１３】
また、保持ケース及び回転台座には、少なくとも相対回転の回転中心となる部分に、マイクエレメントとコネクタ端子部とを電気的に接続する接続ケーブルを通すための貫通孔がそれぞれ設けられることが好ましい。
【００１４】
本発明に係るマイクロホン装置付車両設置部材は、本発明に係る車載用マイクロホン装置と、車載用マイクロホン装置の保持ケースが係止され、車両に設置される車両設置部材と、を含むマイクロホン装置付車両設置部材において、車載用マイクロホン装置のマイクユニット及び車両設置部材には、保持ケースに対するマイクユニットの組み付け配置が特定配置である場合に、互いに係合するガイド部がそれぞれ設けられることを特徴とする。
【発明の効果】
【００１５】
本発明に係る車載用マイクロホン装置によれば、集音方向が特定されたマイクユニットと、マイクユニットが組み付けられる保持ケースと、から構成され、マイクユニットは、保持ケースに対して回転可能に支持されるので、マイクユニットが保持ケースに組み付けられた状態で、保持ケースに対するマイクユニットの組み付け配置を容易に変更することが可能となる。
【００１６】
また、保持ケースに対するマイクユニットの組み付け配置として、車両コネクタ挿入部の開口方向及びマイクユニットの集音方向が同一側となる第１の組み付け配置と、車両コネクタ挿入部の開口方向及びマイクユニットの集音方向が反対側となる第２の組み付け配置と、を有し、マイクユニットは、組み付け配置を変更できるように、保持ケースに対して回転可能に支持されるので、部品の種類を減らして生産管理コストを削減することが可能になる。即ち、車載用マイクロホン装置をオーバーヘッドモジュール等に設置する際、上記のように、マイクユニットが保持ケースに組み付けられた状態で、保持ケースに対するマイクユニットの組み付け配置を容易に変更することができる。このように、本発明に係る車載用マイクロホン装置によれば、組み付け配置の変更を簡便且つ迅速に実施できるため、例えば、車載用マイクロホン装置を車両に設置する工程で変更作業を実施しても、設置工程時間に殆ど影響を与えることがない。従って、１つの車載用マイクロホン装置で、少なくとも２つの集音方向（組み付け配置）に対応できるので、組み付け体の種類を削減することが可能になる。
【００１７】
また、保持ケースにマイクユニットを支持する回転台座が設置され、第１の軸を回転軸として相対的に回転可能に係合する保持ケース側係合部及び回転台座側第１係合部、そして、第１の軸と直交する第２の軸を回転軸として相対的に回転可能に係合する回転台座側第２係合部及びマイクユニット側係合部が設けられる構成とすれば、マイクユニットが回転台座を介して保持ケースに支持された状態で、保持ケースに対するマイクユニットの組み付け配置を容易に変更できることに加えて、車載用マイクロホン装置を適切な状態で車両設置部材に係止することが可能になる。適切な係止状態としては、マイクエレメントが騒音等を拾わないようにするため、マイクユニットの開口面が車両設置部材の透音面に密着して設置される状態が挙げられる。例えば、マイクユニットが支持される保持ケースの外壁面と車両設置部の透音面とが平行でない状態で互いに係止される場合があり、そのような場合には、互いに直交する２つの回転軸によって、組み付け配置を変更する方向及び開口面の角度を変更する方向にそれぞれマイクユニットを回転させることが可能となる。従って、目的の組み付け配置とした後に、マイクユニットの開口面と車両設置部材の透音面とを密着させて係止することができる。
【００１８】
また、保持ケースと、マイクユニット又は回転台座との相対的な回転を禁止して、組み付け配置を固定する固定部材が設けられる構成とすれば、保持ケースに対してマイクユニットを回転させて目的とする組み付け配置とした後において、意図しない回転が起って組み付け配置が変化することを防止でき、車両設置部材への設置作業が容易になる。
【００１９】
また、保持ケース及び回転台座において、少なくとも相対回転の回転中心となる部分に、マイクエレメントとコネクタ端子部とを電気的に接続する接続ケーブルを通すための貫通孔がそれぞれ設けられる構成とすれば、マイクユニットを支持する回転台座が保持ケースに対して回転してもマイクエレメント及びコネクタ端子部に繋がった接続ケーブルが引っ張られる等して切断されるおそれがない。また、その回転動作によって接続ケーブルの位置が殆ど変化しないので接続ケーブルの長さを短くすることが可能で、例えば、保持ケースにおける接続ケーブルの格納スペースを小さくできる等の効果を奏する。
【００２０】
また、本発明に係るマイクロホン装置付車両設置部材によれば、車載用マイクロホン装置のマイクユニット及び車両設置部材には、保持ケースに対するマイクユニットの組み付け配置が特定配置である場合に、互いに係合するガイド部がそれぞれ設けられるので、例えば、目的とする集音方向を実現できない組み付け配置である場合には、車載用マイクロホン装置の係止を禁止することができる。従って、誤った集音方向で車載用マイクロホン装置が車両設置部材に係止されることを確実に防止することができる。
【発明を実施するための最良の形態】
【００２１】
図面を用いて本発明に係る実施の形態につき以下詳細に説明する。図１は、単一指向性のマイクユニットを含む車載用マイクロホン装置の外観を示す斜視図であり、マイクユニットの集音方向及び車両コネクタ挿入部の開口方向が同一方向となる組み付け配置（第１組み付け配置）の車載用マイクロホン装置を示す図である。図２は、図１に示す車載用マイクロホン装置の上面図、図３は、右側面図である。図４は、図３のＡ−Ａ線断面を示す概略図であり、図５は、図１に示す車載用マイクロホン装置の各部品をそれぞれ取り外した状態を示す図である。また、図６〜９は、マイクユニットを保持ケースに対して回転させて組み付け配置を変更した状態（第２組み付け配置）又は第１組み付け配置及び第２組み付け配置の間で回転している状態を示す図である。
【００２２】
図１等に示す車載用マイクロホン装置１０（以下、マイクロホン装置１０とする）は、自動車等の車両に設置される音声認識システムやハンズフリー通話システムにおける音声取得装置として搭載される。このようなマイクロホン装置１０は、車内に設置される車両設置部材に組み付けられて車両に搭載される。車両設置部材としては、ルームランプやルーフ開閉スイッチ等が配置されたコントロールモジュール、或いはセンターコンソール、インナーミラー、それらの付属部品等が挙げられ、マイクロホン装置１０は、集音性やデザイン性を考慮してコントロールモジュール内に設置されることが多い。図１０、１１に示すように、車両走行中の振動騒音、エアコンの吹き出し騒音などを拾い難くするため、室内天井部に設けられるコントロールモジュール（以下、オーバーヘッドモジュール３０とする）内に設置されることが特に好ましい。なお、このようなオーバーヘッドモジュール３０は、通常、ドライバ席と助手席との間に設けられる。以下では、マイクロホン装置１０は、ドライバ席と助手席との間にあるオーバーヘッドモジュール３０に設置されるものとして説明する。ここで、図１０、１１は、第１組み付け配置（図１）及び第２組み付け配置（図６）の各配置をとるマイクロホン装置１０がそれぞれ設置されようとするオーバーヘッドモジュール３０のパネル３１の一部を示す図である。
【００２３】
図１等に示すように、マイクロホン装置１０は、集音機能を有するマイクユニット１１と、マイクユニット１１が組み付けられ、オーバーヘッドモジュール３０に係止される保持ケース１２と、を備える。さらに、保持ケース１２には、後述するように、回転台座１５が設置され、マイクユニット１１は、回転台座１５を介して保持ケース１２に支持される構成とすることが好ましい。
【００２４】
マイクユニット１１は、図２に示すように、音を収集して電気信号に変換するマイクエレメント１４を備えている。マイクユニット１１には、単一指向性を発現するために、集音方向に寄せてマイクエレメント１４が配置されると共に、音を導入する開口面２３を除きマイクエレメント１４の周囲をカバーする図示しない防音部材が設置される。通常、マイクエレメント１４は、音を電気信号に変換する集音面を両面にそれぞれ有しており、その集音面が、マイクユニット１１の長手方向に垂直となるように設置される。マイクユニット１１の長手方向の中心から一方側（集音方向）にずらした位置をマイクエレメント１４の中心位置として、集音方向に向いた集音面側の空間を他方の集音面側の空間より小さくしている。このような構成によれば、マイクユニット１１は単一指向性を発現し、例えば、ドライバ席側のみの音声を取得することが可能になる。
【００２５】
保持ケース１２は、マイクユニット１１を直接或いは回転台座１５を介して支持すると共に、車両側コネクタを挿入でき、図示しない車両側コネクタの端子部とマイクエレメント１４とを電気的に接続する機能を有する部材である。保持ケース１２には、図示しない車両側コネクタを挿入する車両コネクタ挿入部１３が設けられている。車両側コネクタとは、マイクロホン装置１０と接続される車両側ワイヤハーネスが接続されたコネクタであって、車両コネクタ挿入部１３に挿入される部材である。車両コネクタ挿入部１３は、車両側コネクタが挿入される孔であって、内部に車両側コネクタの端子部と接触するコネクタ端子部が設けられる。コネクタ端子部は、接続ケーブル２２を介してマイクエレメント１４と電気的に接続され、マイクエレメント１４によって取得され変換された音声信号を車両側に送信することが可能になる。なお、コネクタ端子部としては、マイクエレメント１４から音声信号を伝送するためのマイクエレメント端子の他に、通常、アースとして機能するグランド端子、図示しないアンプと接続されるアンプ端子を備える。
【００２６】
なお、詳しくは後述するように、マイクロホン装置１０は、マイクユニット１１が保持ケース１２に組み付けられた状態で、オーバーヘッドモジュール３０に設置される。図１０、１１に示すように、保持ケース１２には、パネル３１の受け入れ部３２に係止するための係止爪３３、保持ケース１２が係止される向きを特定するためのガイド爪３４が設けられ、受け入れ部３２にも、係止爪３３及びガイド爪３４が挿入される係止溝３５及びガイド溝３６が形成されている。
【００２７】
一般的に、既存のマイクユニット１１は、指向性向上等の観点から、長方体形状であって、長手方向の一方に単一指向性（集音方向）を有する。保持ケース１２も、マイクユニット１１の形状に対応した長方体形状であり、通常、長手方向の一方に車両コネクタ挿入部１３の開口方向が位置し、車両側コネクタは、保持ケース１２の長手方向に沿って挿入される。上記のように、オーバーヘッドモジュール３０内における車両側ハーネスの引き回しスペースは限られているため、各オーバーヘッドモジュール３０に応じて車両コネクタ挿入部１３の開口方向は決定される必要があり、上記ガイド爪３４及びガイド溝３６によって保持ケース１２がオーバーヘッドモジュール３０の受け入れ部３２に係止される向きが特定されている。
【００２８】
上記のように、マイクロホン装置１０が設置される車両の種類によっては、車両コネクタ挿入部１３の開口方向及びマイクユニット１１の集音方向が同一側、或いは反対側となるように設置したい場合がある。マイクロホン装置１０は、１つの装置で、車両コネクタ挿入部１３の開口方向に対して、少なくとも２つの集音方向に対応する機能を有する装置であり、その機能を発現すべく、保持ケース１２に対するマイクユニット１１の組み付け配置を容易に変更可能にするための構成、即ち、マイクユニット１１が保持ケース１２に対して回転可能に支持された構成を備える。
【００２９】
マイクロホン装置１０は、少なくとも２つの組み付け配置を有する。ニーズに応じて、３つ以上の組み付け配置を有する構成とするように設計することもできる。マイクロホン装置１０が２つの組み付け配置を有する場合には、図１等に示す第１組み付け配置と、図６等に示す第２組み付け配置とを有することが好ましい。ここで、同一側とは、車両コネクタ挿入部１３の開口方向に沿った直線とマイクユニット１１の集音方向に沿った直線とがなす角度が９０°未満の範囲内にある場合を意味するが、マイクユニット１１及び保持ケース１２の形状が一致する（長手方向同士が一致する）方がオーバーヘッドモジュール３０内の省スペース化等の観点から有利であり、図１〜３に示すように、該角度が０°又は概ね０°となる配置が好ましい。反対側についても同様に定義され、第１組み付け配置及び第２組み付け配置において、車両コネクタ挿入部１３の開口方向に対する集音方向は、互いに１８０°異なることが好ましい。上記のように、オーバーヘッドモジュール３０は、ドライバ席と助手席との間に設けられるので、集音方向が互いに１８０°異なる組み付け配置を容易に変更できれば、現状のニーズに十分対応することができる。以下では、第１及び第２組み付け配置は、互いに車両コネクタ挿入部１３の開口方向に対するマイクユニット１１の集音方向が１８０°異なる配置として説明する。
【００３０】
図１等に示すように、保持ケース１２には、マイクユニット１１を支持する回転台座１５が設置される。このように、マイクユニット１１が、回転台座１５を介して、保持ケース１２に回転可能に支持される構成とすれば、マイクユニット１１を互いに直交する２つの回転軸で回転させることが可能になり、また、既存のマイクユニット１１をそのまま利用することが容易になるため好ましい。
【００３１】
回転台座１５は、コの字状の形状を有しており、２つの平行な側壁部を上方に向けた状態で保持ケース１２の１つの外壁面上に設置される。２つの側壁部には、上記の係止爪３３や後述する回転台座側第２係合部１８等が設けられ、マイクユニット１１は、２つの側壁面に挟まれて支持される。なお、保持ケース１２に対するマイクユニット１１及び回転台座１５の回転や受け入れ部３２への係止を容易にするため、各部材の長手方向及び幅方向のサイズは、係止爪３３等の特別な部分を除き、マイクユニット１１＜回転台座１５＜保持ケース１２であることが好ましい。また、同様の理由から、後述する回転軸αは、マイクユニット１１の長手方向・幅方向の中心及びマイクユニット１１を支持する保持ケース１２の外壁面の中心付近を通ることが好ましい。
【００３２】
図４、５に示すように、保持ケース１２及び回転台座１５には、第１の軸を回転軸（以下、回転軸αとする）として、相対的に回転可能に係合する保持ケース側係合部１６及び回転台座側第１係合部１７がそれぞれ設けられる。さらに、回転台座１５及びマイクユニット１１には、回転軸αと直交する第２の軸を回転軸（以下、回転軸βとする）として、相対的に回転可能に係合する回転台座側第２係合部１８及びマイクユニット側係合部１９がそれぞれ設けられる。
【００３３】
回転軸αは、回転台座１５が設置され、回転台座１５を介してマイクユニット１１が支持される保持ケース１２の外壁面に垂直な回転軸であって、保持ケース側係合部１６及び回転台座側第１係合部１７によって構成される。保持ケース側係合部１６及び回転台座側第１係合部１７は、保持ケース１２及び回転台座１５が、回転軸αを中心に相対的に回転可能に係合させるための部材であり、これら係合部によって、回転台座１５は、保持ケース１２の上記外壁面と平行な面上を回転することが可能になる。従って、上記第１組み付け配置と第２組み付け配置との間を、回転台座１５、即ちマイクユニット１１が保持ケース１２に対して回転して、組み付け配置の変更を容易に実行することができる。
【００３４】
保持ケース側係合部１６及び回転台座側第１係合部１７の形態は、保持ケース１２及び回転台座１５が相対回転可能に係合できれば、特に限定されず、例えば、一方が凸部、他方が凸部が係合する凹部からなる係合部とすることができる。図４、５に示すように、保持ケース側係合部１６が保持ケース１２を貫通する貫通孔、回転台座側第１係合部１７が回転台座１５を貫通する貫通孔の周囲に下方に突出して保持ケース側係合部１６の貫通孔に係合される爪部を有する形態とすることもでき、爪部で引掛けることにより回転台座１５が容易に外れてしまうことを防止することができる。
【００３５】
保持ケース側係合部１６及び回転台座側第１係合部１７に、上記のような貫通孔を有する形態とすれば、マイクエレメント１４とコネクタ端子部とを電気的に接続する接続ケーブル２２を、その貫通孔に通すことが可能になる。貫通孔は、保持ケース１２及び回転台座１５の少なくとも相対回転の回転中心となる部分、即ち回転軸αが貫通孔を通るように、それぞれ設けられることが好ましい。このような貫通孔を設ければ、マイクユニット１１を支持する回転台座１５が回転しても接続ケーブル２２が引っ張られる等して切断するおそれがない。また、回転によって接続ケーブル２２の位置が殆ど変化しないので接続ケーブル２２の長さを短くして、保持ケース１２における接続ケーブル２２の格納スペースを小さくできる。なお、接続ケーブル２２は、コネクタ端子部に半田付けされるのが一般的である。
【００３６】
回転台座側第２係合部１８及びマイクユニット側係合部１９は、回転軸βにより相対回転可能に係合できれば、特に限定されず、例えば、図４、５に示すように、マイクユニット側係合部１９は円柱形状の凸部、回転台座側第２係合部１８は円柱凸部が挿入される凹部（貫通孔）とすることができる。回転軸βは、マイクユニット１１の長手方向に沿った回転軸であり、回転台座側第２係合部１８及びマイクユニット側係合部１９によって構成される。
【００３７】
回転軸βは、マイクユニット１１の長手方向、即ち集音方向に沿った回転軸であって、回転軸βを中心にマイクユニット１１が回転しても上記組み付け配置が変化して、車両コネクタ挿入部１３の開口方向に対する集音方向が変化することはない。回転軸βと回転軸αとは、互いに直交する回転軸であるが、回転台座１５を設置することによって、上記第１及び第２組み付け配置の変更と、後述するように、マイクユニット１１の開口面２３の角度変更とが可能になる。
【００３８】
マイクロホン装置１０をオーバーヘッドモジュール３０の受け入れ部３２に係止する際に、マイクユニット１１が支持される保持ケース１２の外壁面と受け入れ部３２の透音面３９とが平行でない状態で互いに係止される場合がある。ここで、透音面３９とは、スリットが設けられて、マイクユニット１１に音声が導入される部分である。マイクエレメント１４が騒音等を拾わないようにするため、開口面２３が透音面３９に密着して設置されることが好ましく、開口面２３の角度を調整できるように、上記のように、回転台座側第２係合部１８及びマイクユニット側係合部１９を備え、マイクユニット１１及び回転台座１５は回転軸βを中心に回転できることが好ましい。このように、マイクロホン装置１０に、回転台座１５を設置し、上記各係合部によって、互いに直交する２つの回転軸でそれぞれ回転可能に支持する構成とすれば、上記のように、目的の組み付け配置とした後に、開口面２３と透音面３９とを密着させて係止することができる。
【００３９】
マイクユニット１１、保持ケース１２、回転台座１５の少なくとも１つには、組み付け配置を固定するための固定部材が設置され、マイクユニット１１と保持ケース１２との間の相対回転を禁止することができる。マイクユニット１１は、組み付け配置を固定部材によって固定した後に、開口面２３の角度を調整して受け入れ部３２に設置されることが好ましいため、固定部材は、保持ケース又は回転台座１５、或いは双方に設けられることが好ましい。図１等に示すように、固定部材としては、保持ケース１２に、固定爪２０、回転台座１５に固定棒２１を設置することができる。図１において、固定棒２１は、固定爪２０の両側に２つ設けられ、向かって右側の固定棒２１がガイド爪３４及び固定爪２０の間に挟まれることにより、保持ケース１２と回転台座１５との相対回転を禁止している。このような構成とすれば、保持ケース１２に対してマイクユニット１１を回転させて目的とする組み付け配置とした後において、意図しない回転が起って組み付け配置が変化することを防止できる。なお、保持ケース１２には、第１及び第２の２つの組み付け配置で固定するため、固定爪２０が長手方向の両端２箇所に設けられている。
【００４０】
一方、図１、６に示すように、回転台座１５には、片側だけに固定棒２１が設置されている。回転台座１５は、保持ケース１２に対して回転可能に支持されるが、組み付け配置を判り易くするために、回転台座１５に対するマイクユニット１１の取り付け向きを統一しておくことが好ましい。そこで、マイクユニット１１には、マイクユニット嵌合部２４、回転台座１５には、マイクユニット１１の取り付け向きが特定の向きである場合にマイクユニット嵌合部２４と嵌合する回転台座嵌合部２５がそれぞれ設けられることが好ましい。
【００４１】
回転台座１５は、保持ケース１２に対して左回りに回転し、図７、８に示す状態を経由して、マイクユニット１１の組み付け配置を、図１、２に示す第１組み付け配置から、図６、９に示す第２組み付け配置に変更できる。この回転動作を詳細に説明すると、まず、図３の状態では、右側の固定棒２１が、固定爪２０及びガイド爪３４の間に挟まって係止されており、組み付け配置が第１組み付け配置に固定されている。右側の固定棒２１が固定爪２０を乗り越えて左回りに回転すると図７に示す状態となる。図７の状態からさらに回転させると、図８に示すように、集音方向と車両コネクタ挿入部１３の開口方向とが互いに直交する関係となり、最終的に、第１組み付け配置で左側にあった固定棒２１が固定爪２０を乗り越え、固定爪２０とガイド爪３４との間に固定されて図９に示す第２組み付け配置となる。なお、固定爪２０及び固定棒２１の少なくとも一方を、力を加えると弾性変形可能なゴム等から構成する、或いは保持ケース側係合部１６及び回転台座側第１係合部１７の間に上下方向の隙間（あそび）を設ける等により、意図的に回転させようとした場合には、固定棒２１が固定爪２０を容易に乗り越えることができる。
【００４２】
また、ガイド爪３４が固定棒２１の回転軌跡内に存在するため、右回りに回転させることはできず、最大回転角度は、第１組み付け配置から第２組み付け配置までの１８０°であるが、ガイド爪３４を固定棒２１の回転軌跡の外側に設置することもでき、３６０°回転可能なマイクロホン装置１０とすることができる。なお、マイクエレメント１４とコネクタ端子部とを接続する接続ケーブル２２の損傷防止等の観点から、最大回転角度は１８０°であることが好ましい。
【００４３】
図１０、１１に示すように、マイクロホン装置１０は、マイクユニット１１が保持ケース１２に組み付けられた状態で、オーバーヘッドモジュール３０に設置される。上記のように、保持ケース１２には、係止爪３３、ガイド爪３４が設けられ、受け入れ部３２には、係止溝３５、ガイド溝３６が設けられる。ガイド爪３４がガイド溝３６に挿入できる向きに保持ケース１２を向けた状態で、保持ケース１２を受け入れ部３２に挿入していくと、係止爪３３が係止溝３５に嵌合し互いに係止される。受け入れ部３２の透音面３９が傾斜している場合には、マイクユニット１１が回転軸βを中心に回転して開口面２３と透音面３９との角度が調整された後に、係止爪３３が係止溝３５に係止される。
【００４４】
上記のように、保持ケース１２が受け入れ部３２に係止されて、マイクロホン装置１０がオーバーヘッドモジュール３０に設置される前に、マイクユニット１１を支持する回転台座１５を保持ケース１２に対して回転させて、目的とする組み付け配置とする。さらに、マイクユニット１１及びパネル３１の受け入れ部３２には、保持ケースに１２に対するマイクユニット１１の組み付け配置が特定配置である場合に、互いに係合するマイクユニットガイド３７及びガイド挿入部３８をそれぞれ設けることができる。このような構成とすれば、誤った集音方向でマイクロホン装置１０がオーバーヘッドモジュール３０に設置されることを確実に防止することができる。
【００４５】
以上のように、マイクロホン装置１０は、マイクユニット１１と、マイクユニット１１を回転軸βで回転可能に支持する回転台座１５と、回転台座１５を回転軸αで回転可能に支持する保持ケース１２と、から構成され、マイクユニット１１は、保持ケース１２に対するマイクユニット１１の組み付け配置を変更できるので、部品の種類を減らして生産管理コストを削減することが可能な車載用マイクロホン装置を提供することである。
【図面の簡単な説明】
【００４６】
【図１】単一指向性のマイクユニットを含む車載用マイクロホン装置の外観を示す斜視図であり、マイクユニットの集音方向及び車両コネクタ挿入部の開口方向が同一方向となる組み付け配置（第１組み付け配置）の車載用マイクロホン装置を示す図である。
【図２】図１に示す車載用マイクロホン装置の上面図である（マイクエレメント１４は上面図のみに記載）。
【図３】図１に示す車載用マイクロホン装置の右側面図である。
【図４】図３のＡ−Ａ線断面を示す概略図である。
【図５】図１に示す車載用マイクロホン装置の各部品をそれぞれ取り外した状態を示す図である。
【図６】図１において、マイクユニットを保持ケースに対して１８０°回転させたときの車載用マイクロホン装置であり、マイクユニットの集音方向及び車両コネクタ挿入部の開口方向が互いに反対となる組み付け配置（第２組み付け配置）を示す図である。
【図７】図３において、マイクユニットを回転させる様子を示す図である。
【図８】図２において、マイクユニットを回転させる様子を示す図である。
【図９】図６に示す車載用マイクロホン装置の上面図である。
【図１０】第１組み付け配置の車載用マイクロホン装置、及び該車載用マイクロホン装置が設置されようとするオーバーヘッドモジュールのパネルの一部を示す図である。
【図１１】第２組み付け配置の車載用マイクロホン装置、及び該車載用マイクロホン装置が設置されようとするオーバーヘッドモジュールのパネルの一部を示す図である。
【図１２】従来の車載用マイクロホン装置の外観を示す斜視図であり、第１組み付け配置の車載用マイクロホン装置を示す図である。
【図１３】従来の車載用マイクロホン装置の外観を示す斜視図であり、第２組み付け配置の車載用マイクロホン装置を示す図である。
【図１４】従来の第１組み付け配置の車載用マイクロホン装置、及び該車載用マイクロホン装置が設置されようとする従来のオーバーヘッドモジュールのパネルの一部を示す図である。
【図１５】従来の第２組み付け配置の車載用マイクロホン装置、及び該車載用マイクロホン装置が設置されようとする従来のオーバーヘッドモジュールのパネルの一部を示す図である。
【符号の説明】
【００４７】
１０  車載用マイクロホン装置、１１  マイクユニット、１２  保持ケース、１３  車両コネクタ挿入部、１４  マイクエレメント、１５  回転台座、１６  保持ケース側係合部、１７  回転台座側第１係合部、１８  回転台座側第２係合部、１９  マイクユニット側係合部、２０  固定爪、２１  固定棒、２２  接続ケーブル、２３  開口面、２４  マイクユニット嵌合部、２５  回転台座嵌合部、３０  オーバーヘッドモジュール、３１  パネル、３２  受け入れ部、３３  係止爪、３４  ガイド爪、３５  係止溝、３６  ガイド溝、３７  マイクユニットガイド、３８  ガイド挿入部、３９  透音面、５０  従来の車載用マイクロホン装置（以下、５０番台は従来の車載用マイクロホン装置又は従来のオーバーヘッドモジュールの構成要素である）、５１  マイクユニット、５２  保持ケース、５３  車両コネクタ挿入部、５４  従来のオーバーヘッドモジュール、５５  パネル、５６  受け入れ部、５７  係止爪、５８  ガイド爪、５９  係止溝、６０  ガイド溝、α  第１回転軸、β  第２回転軸。
【図１】
2010089749.tif 000003
【図２】
2010089749.tif 000004
【図３】
2010089749.tif 000005
【図４】
2010089749.tif 000006
【図５】
2010089749.tif 000007
【図６】
2010089749.tif 000008
【図７】
2010089749.tif 000009
【図８】
2010089749.tif 000010
【図９】
2010089749.tif 000011
【図１０】
2010089749.tif 000012
【図１１】
2010089749.tif 000013
【図１２】
2010089749.tif 000014
【図１３】
2010089749.tif 000015
【図１４】
2010089749.tif 000016
【図１５】
2010089749.tif 000017